【手続補正書】
【提出日】平成27年6月12日(2015.6.12)
【手続補正１】
【補正対象書類名】特許請求の範囲
【補正対象項目名】全文
【補正方法】変更
【補正の内容】
【特許請求の範囲】
【請求項１】
客室（２）と機械室（３０）を仕切壁（３０）で仕切り、精米した米粒を米袋で収容するコイン精米機において、
該米袋を載置し、かつ、客室（２）側に取り出すためのコロコンベア（３４）を設け、
コロコンベア（３４）は仕切壁（３０）の下方の空間部に設け、コロコンベア（３４）一端を仕切壁（３０）から客室（２）側に突出する構成としたことを特徴とするコイン精米機。
【請求項２】
コロコンベア（３４）の下方に雨水等の水を受ける開口部（３５ａ）を設けたとことを特徴とする請求項１記載のコイン精米機。
【請求項３】
米袋を載置する使用姿勢と、機械室（３０）側に向けて回動した不使用姿勢とに切換可能に構成したことを特徴とする請求項１又は請求項２記載のコイン精米機。
【請求項４】
前記空間部は、コロコンベア（３４）の載置面より高い位置の載置台とコロコンベア（３４）の外側を通過する車輪とを備える台車を客室（２）側から挿入及び引出し可能に構成したことを特徴とする請求項１から請求項３いずれかに記載のコイン精米機。
【手続補正２】
【補正対象書類名】明細書
【補正対象項目名】全文
【補正方法】変更
【補正の内容】
【発明の詳細な説明】
【発明の名称】コイン精米機
【技術分野】
【０００１】
本発明は、利用者の持込み玄米を精米処理するコイン精米機に関する。
【背景技術】
【０００２】
特許文献１には、料金を投入して精米する精米設備が記載されている。また、建屋を仕切壁で機械室と客室とに仕切る精米設備は周知である。
【先行技術文献】
【特許文献】
【０００３】
【特許文献１】特開２００３−１１７４１２号公報
【発明の概要】
【発明が解決しようとする課題】
【０００４】
【０００５】
本発明の課題は、精米した米粒を収容した米袋を取り出しやすいコイン精米機を提供することである。
【課題を解決するための手段】
【０００６】
上記課題を解決するために、本発明は次の解決手段を用いる。    
請求項１記載の発明は、
客室（２）と機械室（３０）を仕切壁（３０）で仕切り、精米した米粒を米袋で収容するコイン精米機において、
該米袋を載置し、かつ、客室（２）側に取り出すためのコロコンベア（３４）を設け、
コロコンベア（３４）は仕切壁（３０）の下方の空間部に設け、コロコンベア（３４）一端を仕切壁（３０）から客室（２）側に突出する構成としたことを特徴とするコイン精米機。
これにより、米粒を収容した米袋を客室側に引きだし易い。
【０００７】
請求項２記載の発明は、請求項１記載の発明において、
コロコンベア（３４）の下方に雨水等の水を受ける開口部（３５ａ）を設けたとことを特徴とする。
これにより、雨水等の水を開口部（３５ａ）に排出できるので、コロコンベア（３４）に載置する米袋が水濡れするのを防止できる。
【０００８】
請求項３記載の発明は、請求項１又は請求項２記載の発明において、
米袋を載置する使用姿勢と、機械室（３０）側に向けて回動した不使用姿勢とに切換可能に構成したことを特徴とする。
これにより、コロコンベア（３４）を不要時には奥側に収納できる。
請求項４記載の発明は、請求項１から請求項３いずれかに記載の発明において、
前記空間部は、コロコンベア（３４）の載置面より高い位置の載置台とコロコンベア（３４）の外側を通過する車輪とを備える台車を客室（２）側から挿入及び引出し可能に構成したことを特徴とする。
これにより、台車の載置台に米袋を載置して米粒を収容し、台車で米袋を引きだすことができる。
【発明の効果】
【０００９】
精米した米粒を収容した米袋を取り出しやすいコイン精米機を提供することができる。
【００１０】
【００１１】
【図面の簡単な説明】
【００１２】
【図１】本発明の一実施例の精米設備の糠小屋の側面図を示す。
【図２】図１の精米設備の糠小屋の平面図を示す。
【図３】図１のＡ方向からの矢視図を示す。
【図４】図１の糠小屋の操作盤とそれに関係する構造物の説明視図を示す。
【図５】客室と機械室からなる精米機の要部側面図を示す。
【図６】図５の精米機において客室に台車がある状態（図６（ａ））、精米機から米粒か台車上の米袋に落下している状態（図６（ｂ））、客室に米袋を載せた台車が移動した状態（図６（ｃ））を示す。
【図７】コロコンベアが可動式である図５の精米機の説明図を示す。
【発明を実施するための形態】
【００１３】
以下、図面を参照しながら本実施例の精米設備の糠小屋について説明する。        
図１は、本発明の一実施例の精米設備の糠小屋の内部構造を示す側面図であり、図２は、図１に示す精米設備の糠小屋の平面図、図３は図１のＡ方向からの矢視図を示し、図４は図１の糠小屋の操作盤とそれに関係する構造物の説明視図を示す。
【００１４】
精米設備（図示せず）の糠小屋１は前側の客室２と奧側の糠室３からなり、長辺方向に分割して糠小屋１の２／３が糠室スペースであり、１／３が客室スペースである。
糠小屋１の奥側の天井部４に設置されたサイクロン５には図示しない精米設備からの精米時の糠Ｎが側壁６を貫通して配置された糠流入ダクト７を介して空気搬送され、糠室３に糠Ｎが落下する構成になっている。なお、糠流入ダクト７のサイクロン５の側壁への取り付け位置を１８０度反対側のサイクロン側壁に付け替え可能にしている。
【００１５】
また、糠小屋１の奥側の天井部４を貫通して配置された互いに反対方向に排風を流す２つの排風ダクト９がサイクロン５に接続している。一方の排風ダクト９ａはフィルタ１０を介して糠小屋１の外部に出口を有し、他方の排風ダクト９ｂはフィルタ１１を介して糠小屋１の内部に出口を有している。
【００１６】
このように糠小屋１を完全に精米設備とは隔離し、しかも糠小屋１から糠Ｎが外部に漏れることがないように排風ダクト９にはフィルタ１０、１１を設けているので、客先・精米設備管理所と共に気持ち良く糠小屋１を使用することができる。
【００１７】
糠室３の床面３ａはホッパ状に形成し、前側に向かって上り傾斜状に形成している。
さらに、糠室３内の前記サイクロン５の真下には糠排出用の螺旋コンベア１３の搬送基部側が配置されている。螺旋コンベア１３は糠室３の床面３ａに沿って前記搬送基部側から客室２側に向けて上り傾斜状に配置され、しかも客室２側に壁面１４を貫通して螺旋コンベア１３の上端部が臨んでいる。
【００１８】
また、糠室３の床面３ａと底面３５との間に形成される空間には袋供給装置１５が配置されている。袋供給装置１５には多数の袋１６を積載することができる。さらに袋供給装置１５の底部には糠袋空検出センサ１８が配置されている。糠袋空検出センサ１８は糠袋１６が袋供給装置１５上にないときは、該センサ１８が音声などにより注意を喚起させることができる。
【００１９】
螺旋コンベア１３の搬送基部側の上方の糠室３の底面３５と、螺旋コンベア１３の搬送終端部側の上方の壁面１４にはそれぞれ糠検出センサ１９ａ、１９ｂが配置されているので、糠室３内に糠Ｎが積載されていることをそれぞれ糠検出センサ１９ａ、１９ｂで検出することができる。
【００２０】
客室２と糠室３とを区切る壁１４には操作盤２０が配置されていて、図４に示すように操作盤２０には糠販売用のスイッチ２２と糠販売用のコイン挿入口２３ａを上下に配置し、またそれらと並列位置に糠袋販売用のスイッチ２４と糠袋販売用のコイン挿入口２４ａを上下に配置している。さらに糠販売スイッチ２２の上方には糠販売ランプ２５があり、糠袋販売スイッチ２４の上方には糠袋販売ランプ２６がある。    
【００２１】
上記糠販売スイッチ２２と糠袋販売スイッチ２４などは客室２側から操作ができるように操作盤２０の客室２側に配置されている。
さらに糠販売スイッチ２２は客室２内の床に配置された足踏み式のスイッチ２７と連動する構成に成っており、前記糠販売スイッチ２２は足踏み式のスイッチ２７の入力インターフェイスを図４に示している。
【００２２】
料金であるコインをコイン挿入口２３ａに投入し、糠販売スイッチ２２を押すことにより、螺旋コンベア１３が駆動し、糠を客室２側に取り出すことができる。利用者が袋１６を持参していない場合には、糠袋販売用のコイン挿入口２４ａにコインを投入し、糠袋販売用のスイッチ２４を操作すると糠Ｎを収容するための袋１６を袋供給装置１５から受けることができる。
【００２３】
また、糠袋空検出センサ１８が、糠袋１６が空であることを検出すると、コインを投入しても糠販売スイッチ２２の上方にあるランプ２５が点灯するだけで糠袋販売スイッチ２４の上方にあるランプ２６は点灯しない。
【００２４】
糠小屋１は基本的に糠Ｎを持ち帰る者によって常時、糠が排出可能になっていることが原則であり、糠Ｎのストック容量は大きくない。もし糠Ｎの持ち帰りを有料にすると、持ち帰る糠Ｎの量が少なくなることが考えられ、その場合には、糠小屋が糠Ｎで満了となり精米ができなくなることが考えられる。
【００２５】
そこで、糠Ｎの持ち帰りを有料とした場合の付帯設備として糠室３の床面３ａと糠室３の底面３５との間に形成される空間で、糠室上の袋供給装置１５を配置した位置に隣接した箇所に糠Ｎのストックスペース２９（図３）とする構成を採用しても良い。
【００２６】
操作盤２０を糠小屋１内に置き、操作盤２０の扉２０ａを客室２側から開放できるようにし、操作盤２０に糠販売スイッチ２２を設け、客である利用者が糠販売スイッチ２２を押すことにより糠搬送螺旋コンベア１３が駆動し、糠販売スイッチ２２を押している間だけ糠小屋１内に溜まっている糠Ｎを糠搬送螺旋コンベア１３上で客室２側に搬送し、また糠販売スイッチ２２を離すと、そのときから一定時間だけ糠搬送螺旋コンベア１３が運転される構成としてもよい。このとき糠販売スイッチ２２に代えてフットスイッチ２７を足踏みして糠搬送螺旋コンベア１３を作動又は作動停止させても良い。
【００２７】
客である利用者が糠販売スイッチ２２を押すことにより糠搬送螺旋コンベア１３が駆動する構成を備えた糠小屋１において、糠小屋１の内部の糠Ｎの滞留状況を把握できるセンサ１９ａ、１９ｂを２個設ける、該２個のセンサ１９ａ、１９ｂで把握できる糠小屋１内の糠滞留状況から糠Ｎのコイン販売を可能にした構成としても良い。
【００２８】
前記２個のセンサ１９ａ、１９ｂは静電容量から成るセンサであり、その内の１個の１９ａは糠室３の奥側のサイクロン５の真下に配置し、もう１個のセンサ１９ｂは糠室３の正面側に配置する。こうして２個のセンサ１９ａ、１９ｂがいずれも糠Ｎを検出しない場合には糠販売可能ランプ２５を消灯する。
【００２９】
図５には客室２と機械室３０からなるコイン精米機の要部側面図を示す。客室２と機械室３０は仕切壁３１で２分されていて、機械室３０の仕切壁３１側には精米機械３２が設置されている。さらに仕切壁３１の下方の底面３５にはコロコンベア３４が配置され、コロコンベア３４が仕切壁３１を貫通して客室２と機械室３０を連通する構成となっている。
【００３０】
精米機械３２とコロコンベア３４の間には米袋１６を配置できる空間があり、精米機械３２で精米した米粒が米袋１６に入り、米袋１６が一杯になるとコロコンベア３４上を搬送路として客室２に米袋１６を取り出すことができる。
【００３１】
そして図５に示すようにコロコンベア３４の下方の底面３５に開口部３５ａを設けている。そのため、雨の日などに利用客が客室２の入口のドアを開放したままにしているとき、雨水が客室２に入り込んだり、雪の日に長靴に付着した雪が客室２内の底面３５を濡らしてしまうことがあっても、コロコンベア３４の下方の底面３５の開口部３５ａから排水できる。こうして客室２内が濡れた状態でなくなり、米袋１６などは水濡れになることを防止できる。
【００３２】
また、底面３５に開口部３５ａを設けると、ネズミが開口部３５ａを経由して客室２内に入り込もうとするが、開口部３５ａにコロコンベア３４があると、ネズミの侵入を防ぐことができる。
【００３３】
図６には客室２と機械室３０を仕切壁３１で仕切ったコイン精米機を示し、仕切壁３１の下方の床面にはコロコンベア３４が配置され、コロコンベア３４が仕切壁３１を貫通して客室２と機械室３０を連通する構成を示している。そして客室２にある台車３６の車輪の幅をコロコンベア３４のコロの幅以下の幅としておき、コロコンベア３４の高さを台車３６の載置台下面と同じ高さにしている。
【００３４】
図６（ａ）は客室２に台車３６がある状態、図６（ｂ）は客室２と機械室３０を仕切る仕切壁３１の下側の底面３５にあるコロコンベア３４の位置に台車３６があり、精米機械３２から米粒が米袋１６に落下している状態、図６（ｃ）は客室２に米袋１６を載せた台車３６が移動した状態を示す。
【００３５】
このように、台車３６の車輪の幅をコロコンベア３４のコロの幅以下としておき、コロコンベア３４の高さを台車３６の載置台下面と同じ高さにしていると、台車３６を白米台車として使用でき、かつ台車３６はコロコンベア３４により簡単に引き出すことができる。
【００３６】
図７には、図６と同様に、客室２と機械室３０を仕切壁３１で仕切ったコイン精米機を示し、仕切壁３１の下方の底面３５にはコロコンベア３４が配置され、コロコンベア３４が仕切壁３１を貫通して客室２と機械室３０を連通する構成を示している。しかし図６に示す構成に比べて図７に示す構成は、コロコンベア３４が回動可能にしていることが異なり、コロコンベア３４が不要時には奥側に収納できる構成である。
【符号の説明】
【００３７】
３    糠室
１３    糠搬送コンベア
１４    壁
２２、２７    操作具
３１    仕切壁
３４    コロコンベア
３５    底面